(57)【特許請求の範囲】
【請求項１】
画像形成装置内部の部品に関する情報を記憶した不揮発性メモリを有する第１ＲＦＩＤの近傍に設けられた第１のアンテナと、
画像形成装置が使用する用紙の特性に関する情報を記憶した不揮発性メモリを有する第２ＲＦＩＤの近傍に設けられた第２のアンテナと、
前記第１のアンテナと前記第２のアンテナがそれぞれ接続され、前記第１および第２ＲＦＩＤの各不揮発性メモリに記憶されている情報を読み取るＲＦＩＤ情報読取手段と、
を備え、前記ＲＦＩＤ情報読取手段で読み取った前記部品に関する情報に基づいて当該部品の寿命を管理するとともに、前記ＲＦＩＤ情報読取手段で読み取った前記用紙の特性に関する情報に基づいて印刷条件を変更し、
前記画像形成装置に用紙をセットする際に、前記第２のアンテナを介して用紙の特性に関する情報を読み取った前記第２ＲＦＩＤを保管するスペースが用紙のセット位置近辺に設けられ、
前記ＲＦＩＤ情報読取手段は、前記画像形成装置が使用する用紙の特性に関する情報を記憶した不揮発性メモリを有する第２ＲＦＩＤに対して所定の情報を書き込み可能とする書込み機能をさらに有し、
前記画像形成装置に用紙がセットされた際に、前記ＲＦＩＤ情報読取手段が前記用紙に設けられた前記第２ＲＦＩＤから用紙の特性に関する情報を読み取った後、用紙がセットされた画像形成装置の機種情報と、当該機種のトナー情報とを前記第２ＲＦＩＤに書き込むことを特徴とする画像形成装置。
【請求項２】
前記ＲＦＩＤ情報読取手段は、前記画像形成装置に用紙がセットされた際に、当該用紙と共に管理される第２ＲＦＩＤから用紙の特性に関する情報と、書き込まれている画像形成装置の機種情報と、当該機種のトナー情報とを読み取り、
その読み取った情報に基づいて、セットされた画像形成装置における当該用紙の使用可否を判断する判断手段を備えたことを特徴とする請求項１に記載の画像形成装置。
【請求項３】
画像形成装置内部の部品に関する情報を記憶した不揮発性メモリを有する第１ＲＦＩＤの近傍に設けられた第１のアンテナと、
画像形成装置が使用する用紙の特性に関する情報を記憶した不揮発性メモリを有する第２ＲＦＩＤの近傍に設けられた第２のアンテナと、
前記第１のアンテナと前記第２のアンテナがそれぞれ接続され、前記第１および第２ＲＦＩＤの各不揮発性メモリに記憶されている情報を読み取るＲＦＩＤ情報読取手段と、
を備え、前記ＲＦＩＤ情報読取手段で読み取った前記部品に関する情報に基づいて当該部品の寿命を管理するとともに、前記ＲＦＩＤ情報読取手段で読み取った前記用紙の特性に関する情報に基づいて印刷条件を変更し、
前記ＲＦＩＤ情報読取手段によって前記第２ＲＦＩＤの不揮発性メモリに記憶されている用紙の特性に関する情報を読み取り、その用紙の特性に関する情報に基づいて印刷条件に関する設定値を変更するものであって、
前記用紙をセットする各給紙トレイに用紙切れを検知する検知手段を備え、
前記ＲＦＩＤ情報読取手段は、前記検知手段により用紙切れを検知する前に前記給紙トレイに用紙が補給された場合、既にセットされている用紙の用紙情報と、補給された用紙の用紙情報とを読み取り、
両方の用紙情報を比較して、印刷条件に関する設定値を変更する必要が有るか否かを判断することを特徴とする画像形成装置。
【請求項４】
前記給紙トレイにセットされている用紙の用紙情報と、補給された用紙の用紙情報とを比較して、印刷条件に関する設定値を変更する必要が有ると判断した場合は、その旨をガイダンス表示することを特徴とする請求項３に記載の画像形成装置。
【発明の詳細な説明】
【技術分野】
【０００１】
本発明は、画像形成装置に関し、詳細には、ＲＦＩＤの不揮発性メモリに記憶された装置部品に関する情報および対象装置が使用する用品特性に関する情報を共通の情報読取手段を用いて取得する画像形成装置に関する。
【背景技術】
【０００２】
近年、物流や在庫管理などを簡素化するため、商品に非接触の不揮発性記憶手段を添付することが増えてきている。例えば、不揮発性メモリが内蔵され電磁誘導により非接触で情報伝達が可能なＲＦＩＤ（Ｒａｄｉｏ  Ｆｒｅｑｕｅｎｃｙ  Ｉｄｅｎｔｉｆｉｃａｔｉｏｎ）が商品等に添付されている。
【０００３】
また、電子写真方式を用いた画像形成装置などでは、ユーザやサービス担当者が消耗品や寿命部品を容易に交換できるようにカートリッジ方式が広く用いられている。近年ではこれらのカートリッジ情報やリサイクルや消耗品の残量を管理するためにＲＦＩＤを搭載したものが使用されるようになってきた。このＲＦＩＤは、カートリッジの使用時間やトナー等の消耗品の残量データ等を逐次記憶させておき、これらのデータを読み取ることでカートリッジの交換時期等を判断するのに使用されている。
【０００４】
例えば、特許文献１および２では、印刷用紙にＲＦＩＤチップを組み込み、そのＲＦＩＤチップより用紙の特性情報を取得することで印刷条件を最適化する等の処理を行なうことが提案されている。また、特許文献３では、ＲＦＩＤメモリに使用する用紙の特性や印刷条件を書き込んでおき、ＲＦＩＤメモリを給紙トレイにセットして、そのＲＦＩＤメモリから用紙の特性情報を取得して印刷条件の最適化等の処理を行なうことが提案されている。
【０００５】
【特許文献１】特開２００６−２５８９４７号公報
【特許文献２】特開２００５−０３５１４４号公報
【特許文献３】特開２００４−３２５７７０号公報
【発明の開示】
【発明が解決しようとする課題】
【０００６】
しかしながら、このようなＲＦＩＤを用いた画像形成装置などでは、用紙にＲＦＩＤチップを搭載すると用紙コストが大幅に上がる上、ＲＦＩＤチップを搭載した部分に突起ができることから搬送経路にあるローラやベルトを傷めてしまい、それらの部品寿命が大幅に低下するという問題があった。
【０００７】
また、ＲＦＩＤチップから用紙情報を取得してもユーザ側で書き換え作業を行う必要があるため、用紙の種類を変更する場合などは操作が煩雑となり、作業ミスが発生し易くなるという問題があった。
【０００８】
そこで、これらの問題を改善するため、用紙のパッケージに用紙情報を記憶したＲＦＩＤを搭載し、給紙部に用紙情報を取得するためのＲＦＩＤ情報読取手段を設けるという構成も考えられる。しかし、消耗品の残量データやカートリッジの使用時間などの情報を取得するＲＦＩＤ情報読取手段と、用紙情報を取得するＲＦＩＤ情報読取手段とをそれぞれ画像形成装置に搭載するとなると、情報の取得箇所が増えるに従ってＲＦＩＤ情報読取手段の搭載個数が増加してしまい、コストが上がるという問題を生じる。
【０００９】
本発明は、上記に鑑みてなされたものであって、情報処理を行う対象装置内部の部品に関する情報と対象装置に使用する用紙や記録媒体などの用品特性に関する情報とを共通の情報読取手段を用いて取得することにより、情報読取手段の個数を削減し、コストを低減することが可能な画像形成装置を提供することを目的とする。
【課題を解決するための手段】
【００２５】
上述した課題を解決し、目的を達成するために、請求項１にかかる発明は、画像形成装置内部の部品に関する情報を記憶した不揮発性メモリを有する第１ＲＦＩＤの近傍に設けられた第１のアンテナと、画像形成装置が使用する用紙の特性に関する情報を記憶した不揮発性メモリを有する第２ＲＦＩＤの近傍に設けられた第２のアンテナと、前記第１のアンテナと前記第２のアンテナがそれぞれ接続され、前記第１および第２ＲＦＩＤの各不揮発性メモリに記憶されている情報を読み取るＲＦＩＤ情報読取手段と、を備え、前記ＲＦＩＤ情報読取手段で読み取った前記部品に関する情報に基づいて当該部品の寿命を管理するとともに、前記ＲＦＩＤ情報読取手段で読み取った前記用紙の特性に関する情報に基づいて印刷条件を変更し、前記画像形成装置に用紙をセットする際に、前記第２のアンテナを介して用紙の特性に関する情報を読み取った前記第２ＲＦＩＤを保管するスペースが用紙のセット位置近辺に設けられ、前記ＲＦＩＤ情報読取手段は、前記画像形成装置が使用する用紙の特性に関する情報を記憶した不揮発性メモリを有する第２ＲＦＩＤに対して所定の情報を書き込み可能とする書込み機能をさらに有し、前記画像形成装置に用紙がセットされた際に、前記ＲＦＩＤ情報読取手段が前記用紙に設けられた前記第２ＲＦＩＤから用紙の特性に関する情報を読み取った後、用紙がセットされた画像形成装置の機種情報と、当該機種のトナー情報とを前記第２ＲＦＩＤに書き込むことを特徴とする。
【００２７】
また、請求項２にかかる発明は、請求項１に記載の画像形成装置において、前記ＲＦＩＤ情報読取手段は、前記画像形成装置に用紙がセットされた際に、当該用紙と共に管理される第２ＲＦＩＤから用紙の特性に関する情報と、書き込まれている画像形成装置の機種情報と、当該機種のトナー情報とを読み取り、その読み取った情報に基づいて、セットされた画像形成装置における当該用紙の使用可否を判断する判断手段を備えたことを特徴とする。
【００２８】
上述した課題を解決し、目的を達成するために、請求項３にかかる発明は、画像形成装置内部の部品に関する情報を記憶した不揮発性メモリを有する第１ＲＦＩＤの近傍に設けられた第１のアンテナと、画像形成装置が使用する用紙の特性に関する情報を記憶した不揮発性メモリを有する第２ＲＦＩＤの近傍に設けられた第２のアンテナと、前記第１のアンテナと前記第２のアンテナがそれぞれ接続され、前記第１および第２ＲＦＩＤの各不揮発性メモリに記憶されている情報を読み取るＲＦＩＤ情報読取手段と、を備え、前記ＲＦＩＤ情報読取手段で読み取った前記部品に関する情報に基づいて当該部品の寿命を管理するとともに、前記ＲＦＩＤ情報読取手段で読み取った前記用紙の特性に関する情報に基づいて印刷条件を変更し、前記ＲＦＩＤ情報読取手段によって前記第２ＲＦＩＤの不揮発性メモリに記憶されている用紙の特性に関する情報を読み取り、その用紙の特性に関する情報に基づいて印刷条件に関する設定値を変更するものであって、前記用紙をセットする各給紙トレイに用紙切れを検知する検知手段を備え、前記ＲＦＩＤ情報読取手段は、前記検知手段により用紙切れを検知する前に前記給紙トレイに用紙が補給された場合、既にセットされている用紙の用紙情報と、補給された用紙の用紙情報とを読み取り、両方の用紙情報を比較して、印刷条件に関する設定値を変更する必要が有るか否かを判断することを特徴とする。
【００２９】
また、請求項４にかかる発明は、請求項３に記載の画像形成装置において、前記給紙トレイにセットされている用紙の用紙情報と、補給された用紙の用紙情報とを比較して、印刷条件に関する設定値を変更する必要が有ると判断した場合は、その旨をガイダンス表示することを特徴とする。
【発明の効果】
【００３１】
また、本発明にかかる画像形成装置によれば、画像形成装置内部の部品に関する情報が記憶された第１ＲＦＩＤの近傍に設けられた第１のアンテナと、画像形成装置が使用する用紙の特性に関する情報が記憶された第２ＲＦＩＤの近傍に設けられた第２のアンテナとがＲＦＩＤ情報読取手段に接続され、第１および第２ＲＦＩＤの各不揮発性メモリに記憶された情報を読み取ることができるので、画像形成装置内のＲＦＩＤ情報読取手段の個数を削減することが可能となり、コストを低減することができるという効果を奏する。
【発明を実施するための最良の形態】
【００３２】
以下に添付図面を参照して、この発明にかかる画像形成装置の最良な実施の形態を詳細に説明する。
【００３３】
（第１の実施の形態）
図１は、本発明の実施の形態にかかる画像形成装置の概略構成図であり、ここではフルカラーデジタル複写機１００を用いて実施している。図２は、図１の給紙トレイ部分の平面図であり、図３は、ＲＦＩＤとＲＦＩＤの不揮発性メモリに記憶された情報を読み取るＲＦＩＤ情報読取部の構成図であり、図４は、フルカラーデジタル複写機の主要部の構成を説明するブロック図である。
【００３４】
図１に示すフルカラーデジタル複写機１００内部の部品例としては、ここではトナーボトル１０１を示している。第１ＲＦＩＤ１０２は、このトナーボトル１０１に関する情報を記憶する不揮発性メモリを具備している。そして、この第１ＲＦＩＤ１０２の近傍には、ＲＦＩＤ情報読取手段としてのＲＦＩＤ情報読取部１０３が設けられていて、第１ＲＦＩＤ１０２との間で非接触にて通信を行う不図示のアンテナ（第１のアンテナ）が接続されている。ＲＦＩＤ情報読取部１０３による第１ＲＦＩＤ１０２からの情報取得は、定期的あるいは必要に応じていつでも行うことができる。取得する情報としては、ここではトナーボトル１０１内のトナー残量を示すデータであって、不図示のトナー残量検出センサから常に最新のトナー残量データが第１ＲＦＩＤ１０２の不揮発性メモリに上書きされている。
【００３５】
なお、上記した装置内部の部品例としてトナーボトル１０１をあげたが、これに限定されず、感光体ドラムのように一定時間使用することで寿命となる寿命部品が搭載されたプロセスカートリッジなども部品情報の取得対象とすることができる。この場合、部品の寿命が到来したか否かの判断は、種々の方法を用いて行うことができるが、例えば用紙カウンタの枚数をカウントし、一定枚数に達することにより、感光体ドラムの交換時期と判断することができる。感光体ドラムが交換されると用紙カウンタはリセットされ、新たな感光体ドラムの寿命がカウントされる。
【００３６】
また、図１のフルカラーデジタル複写機１００で使用される用品例としては、ここでは用紙１０５を示しているが、これに限定されず、情報処理装置一般で用いられる用品例として用紙の他、ＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体などがあり、この記録媒体の特性情報（媒体品番、製造年月日、媒体種類、記録容量、対応するリーダ／ライタ、書き換え回数、保存期間、残容量、データ内容等）をＲＦＩＤの不揮発性メモリに記憶させることができる。第２ＲＦＩＤ１０４の場合は、この用紙１０５の特性に関する情報を記憶する不揮発性メモリを具備していて、用紙１０５を包装するパッケージ１０６に添付されている。この第２ＲＦＩＤ１０４には、用紙設定を自動的に行う制御に必要な情報などが記憶されている。例えば、用紙品番、製造年月日、用紙種類、用紙厚さ、用紙色情報、枚数、第２ＲＦＩＤ１０４のリサイクル回数、リサイクル回数の上限、保存期間、第２ＲＦＩＤ１０４へのアクセス回数等の情報を記憶させることができる。また、本体側のメモリに用紙品番に対応させて各種用紙の情報が登録されている場合は、用紙品番情報のみを取得するだけで用紙の特性情報を取得することができる。
【００３７】
一方、用紙１０５をセットする給紙トレイ１０７ａ，１０７ｂには、第２ＲＦＩＤ１０４との間で非接触にて通信を行うアンテナ１０９ａ，１０９ｂ（第２のアンテナ）がそれぞれ配置され、上記ＲＦＩＤ情報読取部１０３に接続されることで非接触にて情報の取得可能としている。また、ＲＦＩＤ情報読取部１０３による第２ＲＦＩＤ１０４からの情報取得は、用紙１０５を給紙トレイ１０７ａまたは１０７ｂへのセット時にのみに限定すれば、複数のアンテナ１０９ａ，１０９ｂを一つにまとめることもできる。パッケージ１０６上の第２ＲＦＩＤ１０４から用紙特性に関する情報を読み取った後は、第２ＲＦＩＤ１０４を再利用できるようにするため、用紙セット後にパッケージ１０６から取り外して、給紙トレイ１０７ａ，１０７ｂに設けられた廃棄スペース１０８ａ，１０８ｂに廃棄するようにする。
【００３８】
図２に示すように、給紙トレイ１０７を上から見ると、セットされた用紙１０５の近くにＲＦＩＤ読取部１０３に接続されたアンテナ１０９（第２のアンテナ）が配置されており、使用済みの第２ＲＦＩＤ１０４を廃棄する廃棄スペース１０８が給紙トレイ１０７の引き出しノブ付近に設けられている。
【００３９】
続いて、図３では、情報が記憶されたＲＦＩＤとその情報を読み取るＲＦＩＤ情報読取部の構成について説明する。図３に示すように、ＲＦＩＤ２００は、不揮発性メモリ２０１、ＲＦＩＤ側非接触通信回路２０２、送信用アンテナ２０３、受信用アンテナ２０４などで構成されている。このＲＦＩＤ側非接触通信回路２０２は、さらに受信回路３００、復調回路３０１、制御回路３０２、変調回路３０３、送信ドライバ３０４、電源回路３０５などで構成されている。また、本体側のＲＦＩＤ情報読取部は、本体側非接触通信回路４００と本体側のＣＰＵ４０３などで構成され、本体側非接触通信回路４００には送信用アンテナ４０１と受信用アンテナ４０２が設けられている。この送信用アンテナ４０１と受信用アンテナ４０２は、１組しか図示していないが、本実施の形態では、図１に示すように、必要な情報が記憶されたＲＦＩＤが配置される近傍に読み取り用のアンテナが設置され、それぞれのアンテナをＲＦＩＤ情報読取部１０３に接続することで、１つのＲＦＩＤ情報読取部１０３を共通に使用できる点に特徴がある。通信時には、後述する切替手段を用いて複数あるアンテナを切り替えながら使用することが可能である。なお、電源回路３０５は、受信用アンテナ２０４の電磁波を整流することにより電源を供給するものである。
【００４０】
図３のＲＦＩＤ側非接触通信回路２０２と本体側非接触通信回路４００とは同じ回路構成になっている。本体側のＣＰＵ４０３から出力された信号は、本体側非接触通信回路４００で伝送用の所定信号に変調され、送信用アンテナ４０１に送られる。プロセスカートリッジなどの部品や用紙パッケージに添付されたＲＦＩＤ側非接触通信回路２０２は、受信用アンテナ２０４で受けた受信信号を受信回路３００で増幅して復調回路３０１に送る。復調回路３０１は、伝送用の所定信号に復調した後、制御回路３０２に送る。制御回路３０２は、不揮発性メモリ２０１に記憶する信号であれば、不揮発性メモリ２０１に送信する。制御回路３０２は、本体側から受信した信号が不揮発性メモリ２０１に記憶された情報を送信する指令であれば、不揮発性メモリ２０１の情報を変調回路３０３に送信する。変調回路３０３では、伝送用の所定信号に変調し、送信用アンテナ２０３に送る。
【００４１】
本体側非接触通信回路４００では、受信用アンテナ４０２で受けた受信信号を受信回路（３００に相当）で増幅し、復調回路（３０１に相当）に送る。復調回路は、伝送用の所定信号に復調した後、制御回路（３０２に相当）に送られ、本体側のＣＰＵ４０３に送られる。
【００４２】
次に、図４を用いて本実施の形態にかかるフルカラーデジタル複写機の構成を詳細に説明する。図４に示すフルカラーデジタル複写機は、装置全体を制御するシステムコントローラボード５００、操作パネルを制御する操作部制御ボード５１０、各種プログラムデータや画像データなどを記憶する大容量記憶部のＨＨＤ５２０、原稿画像の読み取りを行うスキャナ５５０、画像データを用紙に印字出力するプリンタ５９０などの各ユニットで構成されている。
【００４３】
システムコントローラボード５００には、スキャナ５５０とプリンタ５９０と操作部制御ボード５１０とが接続されると共に、ＰＣ（パーソナルコンピュータ）などが接続された社内ＬＡＮ（Local Area Network）とＬＡＮインターフェースボード５３０を介して接続されている。さらに、システムコントローラボード５００には、ＰＣＩバスを介してプリンタ５９０に接続されると共に、電話回線（ファクシミリ通信回線）に接続されたＦＣＵ（ファクシミリコントロールユニット）５４０がＰＣＩバスを介して接続されている。
【００４４】
プリンタ５９０は、エンジン制御ボード５６０と、画像データが表わす画像光を感光体ドラム上に投射して光書込みを行うＬＤＢ（レーザダイオードボード）５７０などで構成されている。また、ＰＳＵ（電源装置）５８０は、フルカラーデジタル複写機を制御する電源を供給するユニットであり、メインＳＷ５８２がオン（閉）されると、商用電源が供給され、その商用電源からＡＣ制御回路５８１に商用ＡＣが供給される。
【００４５】
システムコントローラボード５００は、ＣＰＵ５０１、ＣＰＵ５０１が使用する作業用メモリであるＳＲＡＭ５０３、リチウム電池などを内蔵し、ＳＲＡＭ５０３のバックアップと時計を内蔵したＮＶ−ＲＡＭ５０２、システムコントローラボード５００の制御を行うプログラムが格納されたＲＯＭ５０４、システムコントローラボード５００のシステムバス制御、フレームメモリ制御、ＦＩＦＯ等のＣＰＵ周辺を制御するＡＳＩＣ５０５、ワークメモリ５０６、およびフレームメモリ５０７などで構成されている。
【００４６】
このシステムコントローラボード５００は、スキャナアプリケーション、ファクシミリアプリケーション、プリンタアプリケーション、およびコピーアプリケーション等の複数アプリケーション機能を有しており、システム全体の制御を行う。さらに、このシステムコントローラボード５００は、操作部制御ボード５１０からの入力を解読して、本システムの設定とその状態内容を操作部制御ボード５１０の表示部に表示する。
【００４７】
操作部制御ボード５１０には、ＬＣＤおよびキー入力を制御するＡＳＩＣ（ＬＣＤＣ）５１１、操作部制御ボード５１０を制御するＣＰＵ５１２、ＣＰＵ５１２で使用する作業用メモリとしてのＲＡＭ５１３、および操作部制御ボード５１０の入力読込み、および表示出力を制御する操作部制御ボード５１０の制御プログラムが書き込まれたＲＯＭ５１４などが搭載されている。この操作部制御ボード５１０には、図示していないが、システムコントローラボード５００との通信によりパネルを操作して使用者がシステム設定の入力を行う入力部と、使用者にシステムの設定内容および状態を表示する表示部とを備え、入力の制御などを行っている。
【００４８】
ＨＤＤ５２０は、システムのアプリケーションプログラム、並びにプリンタや作像プロセス機器の機器付勢情報を格納するアプリケーションデータベース、あるいは、読取り画像や書込み画像のイメージデータとしての画像データ、並びにドキュメントデータを蓄える画像データベースとして用いられる。物理インターフェース、電気的インターフェースと共に、ＡＴＡ／ＡＴＡＰＩ−４に準拠したインターフェースによりシステムコントローラボード５００に接続されている。
【００４９】
スキャナ５５０は、カラーＣＣＤ５５１とＳＢＵ（Sensor Board Unit）５５２で構成されている。カラーＣＣＤ５５１は、３ラインカラーＣＣＤであり、ＥＶＥＮｃｈ（偶数画素チャンネル）／ＯＤＤｃｈ（奇数画素チャンネル）のＲ、Ｇ、Ｂ画像信号を生成し、ＳＢＵ５５２のアナログＡＳＩＣ(Application Specific IC)５５３〜５５５に入力される。ＳＢＵ４０１は、アナログＡＳＩＣ５５３〜５５５、アナログＡＳＩＣの駆動タイミングを発生するタイミング発生回路／制御回路５５６、および出力Ｉ／Ｆ５５７を備えている。カラーＣＣＤ５５１の出力は、アナログＡＳＩＣ５５３〜５５５内部のサンプルホールド回路によりサンプルホールドされ、Ａ／Ｄ変換されてＲ、Ｇ、Ｂの画像データに変換されると共に、シェーディング補正され、出力Ｉ／Ｆ（インターフェース）５５７から画像データバスを介して、後述するエンジン制御ボード５６０の画像データ処理器（ＩＰＰ：Image Processing Processor；以下では単にＩＰＰと記述）５６１へ送出される。
【００５０】
エンジン制御ボード５６０は、画像形成の作像制御を主として行い、ＣＰＵ４０３、画像処理を行うＩＰＰ５６１、ＮＶ−ＲＡＭ５６２、複写およびプリントアウトを制御するため必要なプログラムを内蔵したＲＯＭ５６６、その制御に必要なＳＲＡＭ５６３、Ｉ／Ｏ ＡＳＩＣ５６４，５６５およびインターフェース回路５６７を備えている。
【００５１】
そして、ＮＶ−ＲＡＭ５６２には、ＳＲＡＭと、電源ＯＦＦを検知してＳＲＡＭの内容をＥＥＰＲＯＭにストアするメモリが搭載されている。また、他の制御を行うＣＰＵ４０３との間で信号を送受信するシリアルインターフェースを備えたＩ／ＯＡＳＩＣ５６４，５６５は、エンジン制御ボード５６０が実装された近くのＩ／Ｏ（ソレノイド、クラッチ、モータ等）を制御するＡＳＩＣである。
【００５２】
ＩＰＰ５６１は、画像処理をおこなうプログラマブルな演算処理手段であり、階調処理等を行う。ＳＢＵ５５２からＩＰＰ５６１に転送された画像データは、ＩＰＰ５６１にて光学系およびデジタル信号への量子化に伴う信号劣化（スキャナ系の信号劣化）が補正されて、フレームメモリ５０７に書き込まれる。
【００５３】
インターフェース回路５６７は、プロセスカートリッジ、トナーボトル、あるいは給紙トレイなどに搭載された非接触式のＲＦＩＤに対してアクセスを行う場合のインターフェース回路である。また、接触式のメモリタグを使用する場合は、このインターフェース回路５６７を介してプロセスカートリッジなどのメモリタグに対してアクセスが行われる。
【００５４】
本体側非接触通信回路４００は、非接触式のＲＦＩＤを使用する場合のインターフェースである。図１に示すように、フルカラーデジタル複写機１００内の所定位置にそれぞれ送受信用アンテナが設置され（トナーボトルなどの部品関係はＲＦＩＤ情報読取部１０３に設けられたアンテナ、用紙などの用品関係は給紙トレイ１０７ａ，１０７ｂに設けられたアンテナ１０９ａ，１０９ｂ）、それらのアンテナがＲＦＩＤ情報読取部１０３に接続されている。本体側制御部のＣＰＵ４０３と本体側非接触通信回路４００との間の通信は非同期のシリアルインターフェースで行われ、ＣＰＵ４０３と本体側非接触通信回路４００とによりＲＦＩＤ情報読取部１０３が構成されている。
【００５５】
これを図４で見ると、本体側非接触通信回路４００には、複数の送受信用アンテナが接続され、フルカラーデジタル複写機内の部品に関する情報を記憶する第１ＲＦＩＤ２００ａの近傍、あるいは、フルカラーデジタル複写機が使用する用紙の特性に関する情報を記憶する第２ＲＦＩＤ２００ｂの近傍にそれぞれアンテナが配置されている。
【００５６】
この本体側非接触通信回路４００に接続された複数の送受信用アンテナを切り替える切替手段としては、ユーザが操作パネルを使ってＲＦＩＤ情報読取手段としての本体側非接触通信回路４００に接続されている複数の送受信用アンテナの中から使用するアンテナを指定すると、操作部制御ボード５１０からシステムコントローラボード５００を介して、エンジン制御ボード５６０のＣＰＵ４０３が本体側非接触通信回路４００を制御することによって、ユーザの指定した送受信用アンテナへ切り替わる。このように操作パネルを使ってユーザがアンテナを直接指定する以外に、ユーザがフルカラーデジタル複写機の使用位置を指定するだけでその指定位置に最も近いアンテナへ切り替わるように制御することも可能である。例えば、フルカラーデジタル複写機の給紙トレイに新しい用紙をセットしたい場合は、ユーザが給紙トレイ位置を操作パネル上で選択することにより、その給紙トレイの近傍に設置されたアンテナへ切り替えることができる。
【００５７】
また、用品の品番毎の特性に関する情報を記憶する特性情報記憶手段としては、図４に示すＨＤＤ５２０などを用いて予め用紙の品番毎の特性に関する情報を記憶させておくことで、用紙１０５のパッケージ１０６に添付された第２ＲＦＩＤ１０４から読み取る情報を用紙の品番や型番情報のみとし、用紙の特性値は装置内のＨＤＤ５２０を使用することにより、用紙の適合性の判断や用紙設定の自動変更等を実施することができる。
【００５８】
また、第２ＲＦＩＤ１０４から読み取った情報が用紙の種類に関する情報の場合は、この用紙の種類情報に基づいて用紙の設定を自動的に変更することができる。さらに、第２ＲＦＩＤ１０４から読み取った情報が用紙の厚さやサイズに関する寸法情報の場合は、この用紙の寸法情報に基づいて用紙の設定を自動的に変更することができる。
【００５９】
このように、第２ＲＦＩＤ１０４から読み取った情報に基づいて用紙の設定を自動的に変更する際に、当該フルカラーデジタル複写機で設定可能な用紙の種類や用紙の寸法に限りがあるため、用紙の種類や寸法が対応していない場合は、操作パネルの操作表示部などを使って用紙の規格が対応していないことを示すエラー表示やガイダンス表示を行うようにする必要がある。また、設定可能な用紙の種類や用紙の寸法が給紙トレイによって異なることがあるため、指定された給紙トレイでは規格外であっても、他の給紙トレイを使えば用紙の設定が可能な場合は、操作パネルの表示部などを使って設定可能な給紙トレイの位置情報等を表示する。
【００６０】
なお、この実施の形態にかかる第２ＦＲＩＤ２００ｂは、用紙設定を行うための専用のタグとして用紙１０５のパッケージ１０６に添付したものを用いている。しかし、用紙の特性に関する情報が記憶されたＲＦＩＤ例としては、流通や在庫管理用のＩＤタグがパッケージに添付されていることがある。そこで、新たな第２ＦＲＩＤ２００ｂを添付することなく、既存の流通・在庫管理用のＩＤタグを共用することで、第２ＦＲＩＤ２００ｂを用いた時と同様に用紙の特性に関する情報を取得し、用紙設定を行うことも可能である。これにより、ＦＲＩＤにかかるコストを低減することができる。
【００６１】
本実施の形態のかかるフルカラーデジタル複写機は、以上のように構成されており、以下その動作について説明する。図５は、第１の実施の形態にかかるフルカラーデジタル複写機におけるＲＦＩＤからの読み取り情報に基づいて自動設定を行う動作を説明するフローチャートである。図５に示す情報読取制御動作は、通常はＲＦＩＤ情報読取部としての本体側非接触通信回路を使って、装置内部の部品に関する情報を取得するモードで動作している。
【００６２】
そこで、ステップＳ１００において、用紙が給紙トレイにセットされたか否かが判断され、用紙が給紙トレイにセットされていない場合は、ステップＳ１０６に移行して、通常の装置内部の部品に関する情報を取得するモードに戻り、動作を継続する。
【００６３】
また、ステップＳ１００において、ユーザが給紙トレイに用紙をセットする場合は、ステップＳ１０１に移行して、用紙の特性に関する情報を取得するモードに切り替わる。ここでユーザは、用紙をセットする給紙トレイを操作パネルを使って選択すると（ステップＳ１０２）、切替手段により図４の本体側非接触通信回路４００が読み取る情報を、第１ＲＦＩＤ２００ａの情報から第２ＲＦＩＤ２００ｂの情報へと切り替える。例えば、図１に示す給紙トレイ１０７ａに用紙１０５をセットする際に、給紙トレイ１０７ａを選択すると、本体側非接触通信回路４００に接続されるアンテナが切り替わり、取得される情報も第１ＲＦＩＤ１０２のトナー残量情報から第２ＲＦＩＤ１０４の用紙の特性に関する情報に切り替わる。
【００６４】
次のステップＳ１０３では、第２ＲＦＩＤ１０４から一定時間内に情報が取得できたか否かが判断される。情報が取得できた場合は、ステップＳ１０４に移行して、取得した用紙の種類や厚さに関するデータに基づいて、当該用紙がフルカラーデジタル複写機に適合しているか否かを判断する。用紙が適合している場合は、用紙の設定が自動的に更新され（ステップＳ１０５）、その後通常の装置内部の部品に関する情報取得モードに戻る（ステップＳ１０６）。
【００６５】
また、上記ステップＳ１０３において、第２ＲＦＩＤ１０４から一定時間内に情報取得が行われなかった場合は、操作パネルの表示部などにエラー表示を行って、ユーザに用紙情報の読取動作を再度実行するように促す（ステップＳ１０７）。
【００６６】
また、上記ステップＳ１０４において、当該用紙が給紙トレイに不適合であった場合は、ステップＳ１０８で他に適合する給紙トレイがないか否かを調べる。全給紙トレイで用紙が不適合であった場合は、操作パネルの表示部にエラー表示や不適合である旨のガイダンス表示を実施して使用禁止とする（ステップＳ１１０）。また、選択された給紙トレイでは不適合であるが（例えば、インクジェット紙等の特殊紙や適応外の厚さの紙などによる）、手差し給紙トレイや他の給紙トレイに適合する場合は、ステップＳ１０９で操作パネルの表示部にガイダンス表示を行う（例えば、「給紙トレイ１０７ａでは本用紙は使用できません。手差トレイで使用して下さい」など）。これにより、ユーザの作業性を向上させることができると共に、紙詰まりや装置の破損を未然に防止することができる。
【００６７】
また、上記ステップＳ１０３において、第２ＲＦＩＤ１０４から一定時間内に情報取得が行われない場合は、ステップＳ１０７でエラー表示を行ってユーザに用紙情報の読取動作を再度実行するように促すが、そもそも第２ＲＦＩＤ１０４が添付されていない用紙を使用するユーザの場合は、図５に示す用紙の自動設定動作を行うことができないため、第２ＲＦＩＤ１０４からの情報取得とそれに基づく用紙の自動設定動作を事前に停止させる自動設定停止手段を備えている。この用紙の自動設定動作の停止は、ユーザが操作パネルから自動設定動作を停止する指示を出すことで行われる。
【００６８】
このように、第１の実施の形態によれば、画像形成装置内部の部品に関する情報を記憶する第ＲＦＩＤ２００ａと、使用する用紙の特性に関する情報を記憶する第２ＲＦＩＤ２００ｂの近傍に配置されたアンテナを切替手段により切り替え、共通の本体側非接触通信回路４００を用いて情報を取得することにより、情報読取手段の個数を削減することが可能となり、装置コストを低減することができる。また、この切替手段により本体側非接触通信回路４００が取得する情報を容易に切り替えることができる。さらに、用紙データの更新を用紙セット時のみに限定すれば、個々の給紙トレイに配置していたアンテナを１つにまとめることも可能となり、給紙トレイ間におけるアンテナの切り替え動作も不要になる。
【００６９】
また、第１の実施の形態によれば、本体側非接触通信回路４００を用いて取得した情報に基づいて、用紙あるいは部品に関する設定を自動的に行うことができる。例えば、用紙の種類情報や厚さ情報から用紙設定や印刷条件の変更を行うことにより、用紙の搬送速度や定着部の温度あるいは高圧電源の出力値等が最適値に自動設定できるため、ユーザの作業を大幅に低減することが可能となる。さらに、第２ＲＦＩＤ２００ｂからの情報取得時間に制限を設けることにより、ユーザに用紙特性情報の読取作業を再度実行させて、誤設定を防止すると共に、ユーザの誤操作により用紙特性情報の取得モードに切り替わったとしても、部品に関する情報の取得モードに自動的に戻すことができる。
【００７０】
（第２の実施の形態）
第２の実施の形態にかかる画像形成装置の特徴は、ＲＦＩＤ情報読取手段としての本体側非接触通信回路４００が、第１ＲＦＩＤ２００ａおよび第２ＲＦＩＤ２００ｂの不揮発性メモリに記憶されている情報を読み取る機能に加え、第２ＲＦＩＤ２００ｂの不揮発性メモリに対して用紙がセットされた画像形成装置の機種情報と、その機種のトナー情報とを書き込む機能を備えている。また、第１の実施の形態では、図１に示すように、用紙セット後に第２ＲＦＩＤ１０４をパッケージ１０６から取り外して、給紙トレイ１０７ａ，１０７ｂに設けられた廃棄スペース１０８ａ，１０８ｂに廃棄していた。しかし、第２の実施の形態では、用紙を裏紙として再利用する場合、用紙から取り外した第２ＲＦＩＤ１０４を用紙と一緒に管理する必要があるため、この廃棄スペース１０８ａ，１０８ｂを保管スペース１０８ａ，１０８ｂとして利用している。
【００７１】
本体側非接触通信回路４００は、図３で説明したように、送信用アンテナ４０１と受信用アンテナ４０２とが設けられていて、ＲＦＩＤ側非接触通信回路２０２と本体側非接触通信回路４００とは同様に構成されている。このため、本体側非接触通信回路４００は、ＲＦＩＤ２００の不揮発性メモリ２０１の情報を読み取る情報読み取り機能と、ＲＦＩＤ２００の不揮発性メモリ２０１に所定の情報を書き込む情報書き込み機能の両方を具備している。
【００７２】
図６は、第２の実施の形態にかかるフルカラーデジタル複写機の用紙のＲＦＩＤに対して情報の読取書込制御を行って書き込まれた情報に基づいて用紙の適否を判断する動作を説明するフローチャートである。
【００７３】
まず、ステップＳ２００において、用紙が給紙トレイにセットされたか否かを判断し、用紙が給紙トレイにセットされていない場合は、ステップＳ２０７に移行して、通常の装置内部の部品に関する情報を取得するモードに戻って、動作を継続する。
【００７４】
また、ステップＳ２００において、ユーザが給紙トレイに用紙をセットした場合は、ステップＳ２０１に移行して、用紙の特性に関する情報を取得するモードに切り替わる。ユーザは、用紙をセットする給紙トレイをフルカラーデジタル複写機の操作パネルで選択すると（ステップＳ２０２）、切替手段により図４の本体側非接触通信回路４００が読み取る情報を、第１ＲＦＩＤ２００ａの情報から第２ＲＦＩＤ２００ｂの情報へと切り替える。例えば、図１に示す給紙トレイ１０７ａに用紙１０５をセットする際に、給紙トレイ１０７ａを選択すると、本体側非接触通信回路４００に接続されるアンテナが切り替わり、取得される情報も第１ＲＦＩＤ１０２のトナー残量情報から第２ＲＦＩＤ１０４の用紙の特性に関する情報に切り替わる。
【００７５】
ステップＳ２０３では、第２ＲＦＩＤ１０４から一定時間内に情報が取得できたか否かが判断される。情報が取得できた場合は、ステップＳ２０４に移行して、取得した用紙の種類や厚さに関するデータに基づいて、当該用紙がフルカラーデジタル複写機に適合しているか否かを判断する。用紙が適合している場合は、用紙の設定が自動更新される（ステップＳ２０５）。
【００７６】
続くステップＳ２０６では、第２の実施の形態に特徴的な処理が行われる。つまり、ステップＳ２０３で本体側非接触通信回路４００が第２ＲＦＩＤ１０４から用紙の特性に関する情報を取得した後、この第２ＲＦＩＤ１０４に対して用紙をセットしたフルカラーデジタル複写機の機種情報と、トナー情報とを書き込む。そして、その後は、通常の装置内部の部品に関する情報取得モードに戻る（ステップＳ２０７）。
【００７７】
上記ステップＳ２０３において、第２ＲＦＩＤ１０４から一定時間内に情報取得が行われなかった場合は、操作パネルの表示部などにエラー表示を行い、ユーザに用紙情報の読取動作を再度実行するように促す（ステップＳ２０８）。
【００７８】
また、上記ステップＳ２０４において、用紙が適合していないと判断すると、ステップＳ２０９で他に適合する用紙の給紙トレイが有るか否かを判断する。全ての給紙トレイの用紙が不適合である場合は、操作パネルの表示部にエラー表示や不適合である旨のガイダンスを表示して、用紙の使用を禁止する（ステップＳ２１１）。また、選択された給紙トレイは不適合であったが、手差し給紙トレイや他の給紙トレイに適合する用紙があった場合は、ステップＳ２１０で操作パネルの表示部にその旨のガイダンスを表示する（例えば、「給紙トレイ１０７ａでは本用紙は使用できません。手差トレイで使用して下さい」など）。これにより、ユーザの作業性を向上させることができると共に、紙詰まりや装置の破損を未然に防止することができる。
【００７９】
このように、第２ＲＦＩＤ１０４には、使用するフルカラーデジタル複写機の機種情報と、トナー情報とを書き込んだ後、給紙トレイ１０７に設けた保管スペース１０８に保管する。そして、当該フルカラーデジタル複写機にて片面印刷した用紙と、片面印刷時のトナー情報等を記憶した第２ＲＦＩＤ１０４とは、一緒に管理される。その用紙を裏紙として再利用する場合は、再利用する画像形成装置にて上記図６の処理が行われる。
【００８０】
つまり、片面印刷した用紙を給紙トレイ１０７にセットすると共に（ステップＳ２００）、一緒に管理する第２ＲＦＩＤ１０４は保管スペース１０８に保管し、ステップＳ２０３において、第２ＲＦＩＤ１０４が記憶している情報を読み取る。この第２ＲＦＩＤ１０４には、片面印刷時におけるフルカラーデジタル複写機の機種情報と、トナー情報とが書き込まれていて、そのトナー情報のトナー融点が、裏面印刷時における画像形成装置の融点よりも低いか否かをシステムコントローラボード５００のＣＰＵ５０１によって照合して判断する。仮に、片面印刷時のトナー融点が裏面印刷時の融点よりも低い場合は、片面印刷時の低融点トナーが裏面印刷の定着時に再融解して定着ローラに巻き付き、紙詰りが発生する恐れがある。このため、ＣＰＵ５０１は、その用紙が裏面印刷に適合しない用紙として、ステップＳ２１１において操作パネル上に不適合である旨の表示を行い、ユーザに知らせる。この不適合表示には、単に「用紙が不適合である」旨のエラー表示の他、「片面印刷時のトナー融点が裏面印刷時の融点よりも低い」といった具体的な不適合理由をガイダンス表示しても良い。
【００８１】
また、上記とは逆に、片面印刷時のトナー融点が裏面印刷時の融点よりも高い場合は、片面印刷時のトナーが裏面印刷の定着時に再融解する恐れがないため、ステップＳ２０４では用紙適合と判断され、裏面印刷が行われる。
【００８２】
このように、第２の実施の形態によれば、用紙を給紙トレイにセット後、本体側非接触通信回路４００を使い用紙の第２ＲＦＩＤ１０４から用紙の特性に関する情報を読み取った後、画像形成装置の機種情報と、トナー情報とが書き込まれる。このため、片面印刷後、別の画像形成装置で裏面印刷を行う場合であっても、片面印刷用紙と第２ＲＦＩＤ１０４とを保管スペース１０８を使って一緒に管理し、用紙の第２ＲＦＩＤ１０４から用紙の特性に関する情報を読み取ることによって、片面印刷時におけるトナー融点が分かり、裏面印刷時の画像形成装置の融点と比較するだけで、裏面印刷への使用の可否判断を正確に行うことができる。これにより、片面印刷時の低融点トナーが裏面印刷の定着時に再融解して定着ローラに巻き付いて、紙詰りが発生することを未然に防止することができる。
【００８３】
（第３の実施の形態）
第３の実施の形態にかかる画像形成装置の特徴は、給紙トレイの用紙切れを検知する検知手段を備え、その検知手段が給紙トレイの用紙切れを検知する前に給紙トレイに用紙が補給された場合、ＲＦＩＤ情報読取手段としての本体側非接触通信回路４００がセットされている用紙の用紙情報と、これから補給する用紙の用紙情報とを読み取って比較し、印刷条件に関する設定値を変更する必要が有るか否かを判断する点にある。
【００８４】
検知手段は、給紙トレイ内にセットされた用紙の有無を検知するものであって、既存の画像形成装置の給紙トレイに設置されている非接触式の光センサ、あるいは可動レバーによる接触式の用紙センサなどを利用することができる。
【００８５】
図７は、第３の実施の形態にかかるフルカラーデジタル複写機の給紙トレイに用紙を補給した際に印刷条件に関する設定値を変更するか否かを判断する動作を説明するフローチャートである。
【００８６】
図７に示す情報読取制御動作は、通常はＲＦＩＤ情報読取手段としての本体側非接触通信回路を使って、装置内部の部品に関する情報を取得するモードで動作しているため、まず、ステップＳ３００では、用紙情報の取得機能がオンになっているか否かを判断する。より詳しくは、用紙パッケージに添付された第２ＲＦＩＤから用紙の特性に関する情報を取得して印刷条件を自動的に設定するという機能がオンになっているか否かを判断する。
【００８７】
用紙情報の取得機能がオフになっている場合は、ステップＳ３００からステップＳ３０８に移行し、本体側非接触通信回路４００を第１ＲＦＩＤから装置内部品（ここでは、トナーボトル）の情報取得用として動作する。
【００８８】
ステップＳ３００において、用紙情報の取得機能がオンになっている場合は、ステップＳ３０１に移行し、用紙が給紙トレイにセットされているか否かが判断される。用紙が給紙トレイにセットされていない場合は、上記と同様にステップＳ３０８に移行する。
【００８９】
ステップＳ３０１において、用紙が給紙トレイにセットされた場合は、ステップＳ３０２に移行し、操作パネルの切替手段を使って本体側非接触通信回路４００が読み取る情報を、第１ＲＦＩＤの情報（装置内部品に関する情報）から第２ＲＦＩＤの情報（用紙特性に関する情報）へと切り替える。
【００９０】
ユーザは、操作パネルを使って用紙をセットする給紙トレイを選択した後（ステップＳ３０３）、第２ＲＦＩＤの不揮発性メモリにアクセスして用紙の特性に関する各種情報（用紙の種類や用紙の厚さなど）を取得する。給紙トレイの選択後一定時間内に情報が取得できた場合は（ステップＳ３０４）、当該用紙が本画像形成装置に適合しているか否かを判断する（ステップＳ３０５）。
【００９１】
ステップＳ３０５において、用紙が適合していると判断した場合、続くステップＳ３０６以下で、第３の実施の形態に特徴的な処理が行われる。すなわち、ステップＳ３０６では、上記検知手段を使って当該給紙トレイがペーパーエンド状態か否かが確認される。ここで、ペーパーエンド状態の場合は、用紙の設定（用紙の種類や用紙の厚さなど）および印刷条件に関する設定値（定着温度目標値や用紙線速など）を自動的に更新した後（ステップＳ３０７）、ステップＳ３０８に移行する。
【００９２】
また、上記ステップＳ３０６において、指定された給紙トレイがペーパーエンド状態になく、用紙がまだ残っている状態で新たな用紙をセットした場合は、既にセットされている用紙と、新たに補給される用紙のそれぞれのパッケージに貼付された第２ＲＦＩＤの不揮発性メモリから用紙の特性に関する情報を本体側非接触通信回路４００が読み取り、両方の情報を比較して、用紙の設定（用紙の種類や用紙の厚さなど）および印刷条件（定着温度目標値や用紙線速など）の設定値の変更が必要か否かを判断する（ステップＳ３１３）。
【００９３】
ステップＳ３１３において、設定値の変更が必要な場合は、操作パネルに設定値の変更の可否を確認する表示を行う（ステップＳ３１４）。例えば、「給紙トレイに残っていた用紙と補給用紙とが異なります。補給用紙に対応した設定値に変更しても宜しいですか？」などの表示を行う。ここで、ユーザが設定値の変更を可とした場合（ステップＳ３１５でＹＥＳ）は、ステップＳ３０７に移行して設定値が更新される。
【００９４】
また、上記ステップＳ３１５において、設定値の変更に問題があって不可とした場合（ステップＳ３１５でＮＯ）は、ステップＳ３１６に移行し、ガイダンス表示が行われる。例えば、「給紙トレイに残っている用紙と補給用紙とで用紙設定や印刷条件設定が異なるため、残っている用紙を取り除くか、ペーパーエンド後に用紙を補給して下さい。」などの表示を行い、ステップＳ３０８に移行する。
【００９５】
また、上記ステップＳ３０４では、給紙トレイ選択後に一定時間が経過しても不揮発性メモリから情報取得できない場合は、ステップＳ３０９に移行し、操作パネルにエラー表示を行って、ユーザに対し用紙特性に関する情報を再度取得するように催促して、ステップＳ３０８に移行する。
【００９６】
また、上記ステップＳ３０５では、選択された給紙トレイの用紙が画像形成装置に適合していない（例えば、インクジェット紙などの特殊紙、あるいは適応外の厚さの用紙など）と判断すると、ステップＳ３１０に移行し、他の給紙トレイに適合する用紙が有るか否かを調べる。適合する用紙の給紙トレイが他に有る場合は、操作パネルに適合する用紙の給紙トレイを指示したり、手差しトレイを使うようガイダンス表示して、ステップＳ３０８に移行する。これにより、ユーザの作業性が向上すると共に、紙詰まりや装置の破損等を防止することができる。
【００９７】
また、上記ステップＳ３１０において、全ての給紙トレイで用紙が不適合と判断された場合は、ステップＳ３１２に移行し、操作パネルに全用紙が不適合である旨のエラー表示やガイダンス表示を実施して用紙の使用を禁止し、ステップＳ３０８に移行する。
【００９８】
このように、第３の実施の形態によれば、検知手段によって給紙トレイの用紙切れ検知前に給紙トレイに用紙が補給されたか、用紙切れ検知後に補給されたのかを判別できることから、どの時点で用紙の補給を行っても良いため、ユーザの作業性が良くなると共に、補給用紙の特性が以前の用紙と異なっていたとしても、設定値の更新やガイダンス表示を適切に行うことができる。
【００９９】
また、第３の実施の形態によれば、検知手段によって給紙トレイの用紙切れ検知前に給紙トレイに用紙が補給された場合は、給紙トレイに残っている用紙の第２ＲＦＩＤの用紙情報と、補給された用紙の第２ＲＦＩＤの用紙情報とを本体側非接触通信回路４００が読み取ることができるため、これらを比較することによって、用紙設定や印刷条件に関する設定値の変更の要否を的確に判断することが可能となり、その判断に基づいて適切なガイダンス表示をユーザ側に提示できるため、ユーザをサポートすることによって、データの設定ミスや作業ミスによる異常画像の発生や機器の故障等を未然に防止することができる。
【産業上の利用可能性】
【０１００】
以上のように、本発明にかかる情報処理装置および画像形成装置は、部品や用紙あるいは記録媒体等の用品に関する情報に基づいてリアルタイムに設定を行う必要のある装置に有効であり、特に、複写機、ファクシミリ、プリンタ、およびそれらの機能を併せ持つ複合機などの部品や用紙特性に関する情報を取得し、これらの情報に基づいて設定を自動的に行うことのできる装置に適している。
【図面の簡単な説明】
【０１０１】
【図１】本発明の実施の形態にかかる画像形成装置の概略構成図である。
【図２】図１の給紙トレイ部分の平面図である。
【図３】ＲＦＩＤとＲＦＩＤの不揮発性メモリに記憶された情報を読み取るＲＦＩＤ情報読取部の構成図である。
【図４】フルカラーデジタル複写機の主要部の構成を説明するブロック図である。
【図５】第１の実施の形態にかかるフルカラーデジタル複写機におけるＲＦＩＤからの読み取り情報に基づいて自動設定を行う動作を説明するフローチャートである。
【図６】第２の実施の形態にかかるフルカラーデジタル複写機の用紙のＲＦＩＤに対して情報の読取書込制御を行って書き込まれた情報に基づいて用紙の適否を判断する動作を説明するフローチャートである。
【図７】第３の実施の形態にかかるフルカラーデジタル複写機の給紙トレイに用紙を補給した際に印刷条件に関する設定値を変更するか否かを判断する動作を説明するフローチャートである。
【符号の説明】
【０１０２】
１００  フルカラーデジタル複写機
１０１  トナーボトル
１０２  第１ＲＦＩＤ
１０３  ＲＦＩＤ情報読取部
１０４  第２ＲＦＩＤ
１０５  用紙
１０６  パッケージ
１０７，１０７ａ，１０７ｂ  給紙トレイ
１０８，１０８ａ，１０８ｂ  廃棄スペース（保管スペース）
１０９，１０９ａ，１０９ｂ  アンテナ
２００  ＲＦＩＤ
２００ａ  第１ＲＦＩＤ
２００ｂ  第２ＲＦＩＤ
２０１  不揮発性メモリ
２０２  ＲＦＩＤ側非接触通信回路
２０３  送信用アンテナ
２０４  受信用アンテナ
３００  受信回路
３０１  復調回路
３０２  制御回路
３０３  変調回路
３０４  送信ドライバ
３０５  電源回路
４００  本体側非接触通信回路
４０１  送信用アンテナ
４０２  受信用アンテナ
４０３  ＣＰＵ
５００  システムコントローラボード
５１０  操作部制御ボード
５２０  ＨＤＤ
５５０  スキャナ
５６０  エンジン制御ボード
５９０  プリンタ
【図１】
0005343451.tif 000002
【図２】
0005343451.tif 000003
【図３】
0005343451.tif 000004
【図４】
0005343451.tif 000005
【図５】
0005343451.tif 000006
【図６】
0005343451.tif 000007
【図７】
0005343451.tif 000008